(57)【要約】      （修正有）【課題】高信頼性の通信制御機能のリンク層をもつＵＳＢ３．０レベルの高機能シリアル通信ＰＡＮ及び認証、検証技術を提供する。【解決手段】シリアル通信ＵＳＢ３．０で規格化実装された、物理層とプロトコル層間のシリアル通信リンク層による、通信路特定と通信両端の乱数発生、ハッシュ値計算、暗号エンジン等による相互認証・検証技術を用いて、通信路（網）のセキュリィティ化と緊急時のセーフティを実現する。また接続デバイスのダイナミックアドレスの付与と削除により小規模の有限ノードシリアル通信ベースのパーソナル・エリア・ネットワーク（ＰＡＮ）を構成しデータの共有化、差分化、タイムラインや位置由来による伝送情報の高度なセキュリティを実現し、各種不正行為やプログラム改竄を通信路（網）で防御する高信頼度制御セキュリティネットワークを実現する。【選択図】図２
2014100443.tif 000002
【特許請求の範囲】
【請求項１】
遊技機の制御盤および周辺機器接続を含む制御システムを構成するブロック、モジュールデバイス及び外部機器（複数）のバス及び通信インターフェースを、少なくとも物理層とリンク層の２階層をもち片方向通信や双方向通信の通信制御やノード選択（ＩＤ：識別子）などのホスト機能を持つホスト（コーディネータ）と、ハブ（ルータ）およびホストとハブ（ルータ）のみと接続可能なデバイス（スレーブ）の３種類のデバイスが可能で、且つ接続ノードが有限なＵＳＢやＩＥＥＥ１３９４などのシリアル通信ポートを用いて通信両端に乱数発生機能を有したデータおよび通信路（網）のセキュリティ且つセーフティを実現する制御盤及び制御システムパーソナル・エリア・ネットワーク（以下ＰＡＮと記載する）を構築する。
【請求項２】
請求項１のホスト（コーディネータ）デバイスは遊技機の制御盤を構成するＣＰＵ内蔵の抽選・払出し制御関連の主ＣＰＵ基板、または表示制御その他制御関連のサブＣＰＵ基板のどちらかに１つ内蔵する。
【請求項３】
遊技機制御盤及び周辺機器を含む制御システムのＰＡＮノードは製造時に付与された固有ＩＤ（固有値）ではなく、シリアル通信ホストデバイスにより、乱数由来のロジックにより割り当てられ、削除可能なダイナミックアドレス（ポート番号）で、制御盤および制御システムにＵＳＢ規格（準拠）等のリンク機能を有したシリアル通信でネットワークを構成することにより、不正や改竄されたデータやプログラムの有線及び無線での不法侵入（遊技機業界ではぶら下がりという）を防止する。
【請求項４】
請求項１に記述の制御盤及び制御システムＰＡＮは一本の接続通信線による時分割多重通信や光波長多重通信が可能で、複数回通信による通信路のセキュリティやセーフティ認証及び検証総通信時間を短縮できることを特徴とする。
【請求項５】
請求項１から請求項３のシリアル通信およびネットワークに無線通信および無線ネットワークをもちいる無線は電波、光、エバネセント波のいずれでもよい。
【発明の詳細な説明】
【発明の詳細な説明】
【技術分野】
【０００１】  本発明は、コンピュータ制御される遊技機及びその周辺機器・装置を含む遊技機システムに関し、ＵＳＢ３．０（Ｕｎｉｖｅｒｓａｌ  Ｓｅｒｉａｌ  Ｂｕｓ  ３．０）などのシリアル通信リンク層機能にダイナミックポートアドレス設定技術を用いてパーソナル・エリア・ネットワーク（以下ＰＡＮと記載する）を構築し、通信路両端に乱数発生機をもたせ、認証及び検証技術によって高度で高速な通信路（網）の構築及びデータ／プログラム（以下メッセージという）のセキュリティ及びセーフティを実現するものである。
【背景技術】
【０００２】  高機能シリアル通信規格のＵＳＢ２．０等で、制御装置およびシステムをバスやツリー接続した特許文献１（図１）がある。ＵＳＢはＵＳＢ３．０となり、シリアル通信機能はポーリングレスの高速化や１：１通信デバイスの指定可能なユニキャスト方式に進化したが、柔軟でセキュアなネットワーク構築に必須のネットワーク接続デバイスのダイナミックな設定・削除機能が脆弱である。
ＵＳＢデバイスは、ＵＳＢメモリの暗復号化技術によるメッセージのセキュリティ／セーフティ技術はあるが、前提となる通信路（網）そのもの、特にＭ２Ｍ（Ｍａｃｈｉｎｅ  ｔｏ  Ｍａｃｈｉｎｅ）のＵＳＢホスト及びＵＳＢデバイス間の通信路（網）のセキュリティ／セーフティ技術が必須である。
制御ネットワークに必須の一方向通信と双方向通信のセキュアの担保は、参考文献２、参考文献３のように、ＵＳＢ２．０までは半２重通信であり、リンク層がなく通信制御に柔軟性がないが、反面不正書換えには困難な仕様であった。ＵＳＢ３．０では全２重通信になり、通信制御のリンク層が追加され通信制御は柔軟になったが、一方向通信と双方向通信のセキュリティ／セーフティ担保技術が必要になった。【０００３】図３はＵＳＢ３．０を用いた本発明の背景技術である。ＵＳＢ３．０規格は３３のリンクレイヤと３４の物理レイヤで、本発明の機能は３２のプロトコルレイヤーのソフトウエアと乱数発生、ハッシュ値計算その他のハードウエアであり、これをもちいて３１のアプリケーションレイヤーでＰＡＮを構築・運用する。ＵＳＢホストは、本発明のＰＡＮに一つだけ存在し、物理レイヤとリンクレイヤの制御、ＰＡＮスタート、通信接続認証、ＰＡＮダイナミックＩＤ（ダイナミックポート番号）設定、ユニキャスト通信機能等を担当する。ＵＳＢハブはＵＳＢ通信の分岐と複数デバイスの接続を担当する本発明のＰＡＮ構築の必須アイテムの一つである。ＵＳＢデバイスは遊技機及び遊技機セルのＵＳＢインタフェースを有する、ＣＰＵモジュール、その他電子回路モジュール、各種周辺機器等で３８のように必ずＵＳＢホストを経由して、他のデバイスと通信する。【０００４】ＵＳＢホストモジュール不具合時はあらかじめプログラムされているデバイスと限られた信号の通信が可能な本発明」の不具合時の重要なセーフティ機能の背景技術で、ＯＴＧ（Ｏｎ  Ｔｈｅ  Ｇｏ）という。【０００５】  有線ＵＳＢによるＰＡＮに比べてワイヤレス（無線）ＵＳＢによるＰＡＮは有線ＵＳＢとの接続性やＰＡＮ構築の自由度は高いが、セキュア／セーフティＰＡＮ構築技術は、短距離無線のＺｉｇＢｅｅとうに比べて弱い。ダイナミックアドレス設定機能及び通信路（網）及びメッセージのセキュリティ／セーフティ機能を図３のアプリケーション層で実現し、強固なセキュリティ／セーフティＰＡＮを実現する。
またＵＳＢには光伝送技術がない。制御盤および制御システムの究極のセキュリティ／セーフティには光通信やエバネセント波通信が欠かせない。
【特許文献】
【０００６】
【特許文献１】特開２００６−５５５３８号公報
【特許文献２】特開２００７−２２２６９０号公報
【特許文献３】特開２００６−４３１７６号公報
【特許文献４】特開２００８−１２４９０６号公報
【発明の開示】
【発明が解決しようとする課題】
【０００７】  特許文献１は、遊技機及び遊技機セルの制御盤の信号やデータが、ＣＰＵバス、パラレル信号、シリアルデータなどの各種各様なインターフェースによって伝送されている従来の遊技機の課題の標準化、省ハーネス化、高速化を、ＣＰＵバス及び制御盤内電子機回路、機器モジュール及びコイン払出し機やホールコンピュータとうの周辺機器との接続をＵＳＢ等の高機能シリアル通信に統一し、バス及びツリー接続構成により解決している。特許文献２及び特許文献３は片方向通信が必要な遊技機の抽選関連情報伝送を、片方向通信を監視しながら片方向のシリアル通信で実現している。
特許文献１は制御盤内モジュール及び周辺機器とのメッセージの共有化による高機能化、合理化、不具合対応、モジュール間や外部機器との通信路のセキュリティ確保によるメッセージのぶら下がりや改竄等の不正行為防止の課題がある。特許文献２及び特許文献３は通信路そのもののセキュリティ、片方向通信監視回路及びソフトウエアの脆弱などの課題がある。
特許文献４はイーサネット接続の通信路セキュリティを認証及び確証通信で行っているが、遊技機および周辺機器を含めた制御は複数の電子、ソフトウエア、機構のモジュールによるＭ２Ｍ制御であり、イーサネットは適さない。【０００８】本発明はこれらの課題を解決する高信頼性の通信制御機能のリンク層をもつＵＳＢ３．０レベルの高機能シリアル通信ＰＡＮ及び認証、検証技術を提供することを目的としている。
また本発明の遊技機内部及び遊技機セルのＰＡＮ及び通信路（網）のセキュリティ及びセーフティ技術は、遊技機制御のデジタル化によるデジタル遊技機に好ましい。
【課題を解決するための手段】
【０００９】  上記目的を達成するため、本発明の請求項１に係る遊技機及び遊技機セルの制御盤及び制御システムのＣＰＵバス及び制御盤内電子機回路、機器モジュール及びコイン払出し機やホールコンピュータとうの周辺機器との接続は、ＵＳＢホスト１つと複数のＵＳＢハブ及びＵＳＢデバイスでネットワーク接続される。ＵＳＢホストは遊技機及び遊技機セルの制御盤及び制御システムで一つ、ＵＳＢハブ、及びＵＳＢデバイスは合計１２７個以内で構成することを特徴とする。ＵＳＢとうの規格変更で、リンク層を有したシリアル通信の接続ノード数およびポート数が増加した場合は本発明のデバイス及びハブは増加できる。【００１０】またこれらのデバイス及びハブは遊技機の制御モジュールに内蔵してもよい。しかしＵＳＢの高機能ＵＳＢデバイス及びＵＳＢハブは独自のＣＰＵやＦＰＧＡのモジュールであることが好ましい。またＵＳＢ３．０と同等の機能のリンク層を有する他のシリアル通信での構成でもよい。請求項１に記載の通信路（網）のセキュリティはＵＳＢホスト及びＵＳＢデバイスの双方に乱数発生機能を持たせ、ＡＥＳ暗号エンジン等で認証子と確証子を相互通信で認証、検証させて行うことを特徴とする。乱数発生は物理乱数であることが好ましい。【００１１】  ＵＳＢホストは請求項２に記載のように遊技機の抽選関連を司る主ＣＰＵ基板モジュールか表示や音声などの演出を司るサブＣＰＵ基板モジュールのいずれかに内蔵することを特徴とする。【００１２】  請求項３に記載の遊技機及び遊技機セルの制御盤及び制御システムのＰＡＮ構築は、ＰＡＮ構成のＵＳＢハブの配置、ＵＳＢのリンク層の通信制御機能を用いたＰＡＮ構成のＵＳＢデバイス（複数）とＵＳＢホスト間の前記乱数発生と暗号エンジンによる通信路のセキュリティ認証、検証と、ＰＡＮのセキュリティに有効の柔軟性のある通信路認証及び検証通信の初期値、とＵＳＢデバイス（複数）ＰＡＮ接続のダイナミックアドレスの発生と付与および削除機能を有することを特徴とする。ＵＳＢデバイス間の通信はＵＳＢデバイスＡ〜ＵＳＢホスト〜ＵＳＢデバイスＢとＵＳＢホストを必ず経由しなければならない。しかしＵＳＢホスト不具合時はＵＳＢのデバイス間のＯＴＧ（Ｏｎ  Ｔｈｅ  Ｇｏ）機能を用いたビットレベルの通信が可能で、遊技機の緊急時に必要最低限のセーフティを確保することを特徴とする。【００１３】  請求項４に記載の多重通信は、ＵＳＢホストでＰＡＮを構築するために乱数由来の初期値を生成しダイナミックアドレスを付与し、上記の同じく乱数発生機能を有するＵＳＢデバイスと通信路の認証、検証を、特定時間毎または特定メッセージ容量毎行わせ、全メッセージを転送する通信時間を大幅に短縮することを特徴とする。【００１４】各種の無線を図７に図示した。請求項５に記載の無線はマイクロ波、超短波とうの電波、レーザ光、赤外線、可視光線などの光、およびエバネセント波などを用いる。電波では空間伝播、同軸（漏洩同軸を含む）ケーブル、電源線重畳無線（ＰＬＣ）、光では空間伝播および光ケーブル、エバネセント波では各種誘電体伝播をもちいる。
【課題を解決するための手段】
【００１５】  上記目的を達成するため、本発明の請求項１に係る遊技機及び遊技機セルの制御盤及び制御システムのＣＰＵバス及び制御盤内電子機回路、機器モジュール及びコイン払出し機やホールコンピュータとうの周辺機器との接続は、ＵＳＢホスト１つと複数のＵＳＢハブ及びＵＳＢデバイスにネットワーク接続される。ＵＳＢホストは遊技機及び遊技機セルの制御盤及び制御システムで一つ、ＵＳＢハブ、及びＵＳＢデバイスは合計１２７個以内で構成することを特徴とする。ＵＳＢとうの規格変更で、リンク層を有したシリアル通信の接続ノード数およびポート数が増加した場合は本発明のデバイス及びハブは増加できる。【００１６】またこれらのデバイス及びハブは遊技機のＣＰＵ内蔵モジュールのソフトウエアで実現してもよい。しかし高機能ＵＳＢデバイスは専用のＣＰＵやＦＰＧＡ内蔵のモジュールであることが好ましい。またＵＳＢ３．０と同等および同等以上のリンク層機能を有する他のシリアル通信での構成でもよい。請求項１に記載の通信路（網）のセキュリティはＵＳＢホスト及びＵＳＢデバイスの双方に乱数発生機能を持たせ、ＡＥＳ暗号エンジン等で認証子と確証子を通信で相互認証、相互検証させて行うことを特徴とする。乱数発生は物理乱数であることが好ましい。
ＵＳＢホストは請求項２に記載のように遊技機の抽選関連を司る主ＣＰＵ基板モジュールか表示や音声などの演出を司るサブＣＰＵ基板モジュールのいずれかにすることを特徴とする。【００１７】  請求項３に記載の遊技機及び遊技機セルの制御盤及び制御システムのＰＡＮ構築は、ＰＡＮ構成のＵＳＢハブの配置、ＵＳＢのリンク層の通信制御機能を用いたＰＡＮ構成のＵＳＢデバイス（複数）とＵＳＢホスト間の前記乱数発生と暗号エンジン等による通信路のセキュリティ認証、検証と、ＰＡＮのセキュリティに必須の柔軟性のある変更、削除可能な通信路認証及び検証通信の初期値とＵＳＢデバイス（複数）のダイナミックアドレスの発生と付与および削除機能を有することを特徴とする。ＵＳＢデバイス間の通信はＵＳＢデバイスＡ〜ＵＳＢホスト〜ＵＳＢデバイスＢとＵＳＢホストを必ず経由しなければならない。しかしＵＳＢホスト不具合時はＵＳＢのデバイス間のＯＴＧ（Ｏｎ  Ｔｈｅ  Ｇｏ）機能を用いてビットレベルの通信が可能で、遊技機の緊急時に必要最低限のセーフティを確保することを特徴とする。【００１８】  請求項４に記載の多重通信は、ＵＳＢホストでＰＡＮを構築するために乱数由来の初期値を生成しダイナミックアドレスを付与し、上記の同じく乱数発生機能を有するＵＳＢデバイスと通信路の認証、検証を、特定時間毎または特定メッセージ容量毎行わせ、全メッセージを転送する通信時間を大幅に短縮することを特徴とする。
各種の無線を図７に図示した。請求項５に記載の無線はマイクロ波、超短波とうの電波、レーザ光、赤外線、可視光線などの光、およびエバネセント波などを用いる。電波では空間伝播、同軸（漏洩同軸を含む）ケーブル、電源線重畳無線（ＰＬＣ）、光では空間伝播および光ケーブル、エバネセント波では各種誘電体伝播をもちいる。
【発明の効果】
【００１９】  本発明によれば、遊技機及び遊技機システムを構成する電子回路モジュール、操作パネル、機器を有線もしくは無線媒体の、ＵＳＢ３．０レベルのリンク層機能を有したシリアル通信で、ＰＡＮ接続し、ダイナミックな各ノード間を暗号エンジン等による通信路（網）及び操作位置・時刻の認証及び検証をすることにより、不正電子回路とうの外付（遊技業界ではぶら下がりという）、や抽選関連プログラムの改竄等による不正を防止できる。【００２０】  またネットワーク接続によるデータやプログラムや機器の共有化による、高機能化・高速化はますます大容量化、高機能化するゲームソフトウエアや遊技機及び遊技機システムのセキュリティ及びセーフティの強化に有効である。光ファイバーを通信媒体にした場合は、外部からの電磁波無線や雷による誤動作が無くなり、さらに高度なセキュリティ・セーフティが可能になる。
５Ｇｂｐｓという高速シリアル通信ＵＳＢ３．０を用いた場合は、一本の接続通信線で高速な時分割多重通信ができ、容易かつ高速に通信路（網）のセキュリティ認証・検証でき、総通信時間の短縮』に効果がある。
【発明を実施するための最良の形態】
【００２１】  以下、本発明に係る遊技機及び遊技機セルの実施の形態を、図２、図３、図５を参照して説明する。なお図中の遊技機はスロットマシン（回胴式遊技機）である。
【実施例１】
【００２２】  図２において、２１は従来スロットマシンのメインＣＰＵ基板で、モータ駆動・位置決め、モータドライブ、抽選用乱数発生および抽選モジュール、抽選関連入出力モジュール、パラレル信号とシリアル信号の変換機能、などで構成されている。２２は本発明のＵＳＢホストモジュールで、ＰＡＮ構築による運用機能や通信路（網）及びデータ・プログラム暗復号化機能、片方向及び両方向通信担保機能、ユニキャスト通信機能、ＵＳＢハブ（複数）機能、多重通信機能等を有していて２１の入出力端子（コネクタ）に後付けで近接実装させた本発明の実施例である。このＵＳＢホストモジュールは２１のメインＣＰＵ基板に内蔵またはＡＳＩＣ化することも出来る。
ＵＳＢホストモジュールは例えば２４のサブＣＰＵモジュールに近接実装してもよい。またＵＳＢホストモジュールの乱数発生は物理乱数のほうが好ましい。【００２３】  ２３は遊技機及び遊技機システムの３種類（デバイスノード、ハブノード、ホストノード）のネットワーク接続ノード記号、２４は全接続ノード例で、コイン払出し機、表面パネル、ホールコンピュータ、コイン投入機、確率設定スイッチ、回胴駆動ユニット、スタートレバー等のスイッチと２４のサブＣＰＵ基板モジュールで構成されている。ホールコンピュータは遊技ホールビジネス管理用のコンピュータシステムである。【００２４】図２のノード間の矢印（→）は通信路とデータ転送方向である、すべて片方向通信であるが、ダイナミックノード設定や通信路の認証子と確認子通信時は双方向通信である。図２のＡ→Ａ２、Ｃ２→Ｃのような抽選関連のセキュリティが特に必要なＵＳＢデバイスには独自に乱数発生及び暗復号エンジン機能を内蔵させ、通信路の認証子と確認子通信を交信して通信路のセキュリティを検証する。【００２５】またＵＳＢホストのＣＰＵ不具合などの場合は、直前のコイン払出しやコイン投入等の抽選関連重要データをあらかじめプログラムされたＵＳＢデバイス間でＵＳＢ規格のＯＴＧ機能で直接交信し、抽選関連情報の確保などの遊技機のセーフティを確保できる。
【実施例２】
【００２６】  次に、シリアル通信ＵＳＢ３．０を用いたＰＡＮ構築の実施例について説明する。図４−４１はＵＳＢホストと７つのＵＳＢデバイスの８ノードＰＡＮで、５つのＵＳＢハブの助けを借りたメッシュ型ネットワークである。【００２７】ＵＳＢホストとＵＳＢデバイス間通信はＵＳＢハブ経由で直接通信し、ＵＳＢデバイスとＵＳＢデバイス間通信は必ずＵＳＢホストを経由しなければならない。例えば、ＵＳＢデバイスＤａ〜ＵＳＢデバイスＤｄ間通信は、ＵＳＢデバイスＤａ〜ＵＳＢハブ〜ＵＳＢホスト〜ＵＳＢハブ〜ＵＳＢハブ〜ＵＳＢデバイスＤｄとなる。ネットワーク構築の流れ及び機能は、［００２９］、［００３０］、［００３１］である。【００２８】スタート４２では、ＵＳＢホストと接続されている全ノードとでブロードキャスト通信を行い、あらかじめプログラムされているＰＡＮ構成ノードを確認し、他のノードの接続をリンク層で切断する。【００２９】スキャン４３では、確認・選定されたＰＡＮ接続ＵＳＢデバイスノードアドレスは、製造時設定の固有アドレスでなく、それぞれに乱数由来のダイナミックアドレスを新規に設定する。このダイナミックアドレスはＰＡＮの接続ノード変更などの必要に応じて短時間に変更でき、ぶら下がりや無線による不正を防止できる。【００３０】接続４４では、ダイナミックアドレス設定後、ＰＡＮ接続ノード間通信を基本的には、ユニキャスト通信にし、片方向通信、双方向通信の設定をする。高度なセキュリティが必要なノード間通信制御プログラムは暗号化しておくことがこのましい。
【実施例３】
【００３１】  次に、ＵＳＢ３．０を用いたＰＡＮ構成遊技機のＵＳＢホストとＵＳＢデバイス間通信路のセキュリティ実施例について説明する。本実施例の遊技機は従来タイプのスロットマシンで、通信路の認証・検証によるセキュリティチェックはおこなわれていない。
メインＣＰＵ基板５１に近接させたＵＳＢデバイス１−５３で片方向の８ビットパラレル信号５２をＵＳＢデータに変換してＵＳＢホスト５５に入力し、同一基板内のＵＳＢハブ５７経由でＵＳＢデバイス２−５８に入力し、サブＣＰＵ基板５１１に近接しているＵＳＢデバイス３−５１０でＵＵＳＢデータを８ビットパラレル信号に戻し、サブＣＰＵ基板に入力する。本通信路のＵＳＢケーブル５６以外のＵＳＢケーブルは基板内のパターンであり、ＵＳＢケーブル５６の認証・検証によるセキュリティはそれぞれ乱数発生機と暗号エンジンを有しているＵＳＢホスト５５とＵＳＢデバイス２−５８で認証子と確認子の相互交信でセキュリティチェックをおこなっている。
ＵＳＢホスト５５とＵＳＢデバイス２−５８は入れ替えてもよい。
【図面の簡単な説明】
【００３２】
【図１】シリアル通信ＵＳＢを用いた制御盤内バス及び通信の構成公開例
【図２】有限ノードＰＡＮ構成遊技機及び遊技機セル例
【図３】シリアル通信ＵＳＢ３．０を用いた本発明ＰＡＮ構成例
【図４】ＵＳＢを用いたＰＡＮ構築フロー
【図５】本発明遊技機ＰＡＮのＰ２Ｐ通信路セキュリティ構成ブロック
【図６】複数Ｐ２Ｐ通信路のＵＳＢ多重通信構成例
【図７】本発明ＰＡＮ遊技機に好ましい無線媒体
【符号の説明】
【００３３】２１    現スロット遊技機の主ＣＰＵ基板構成例
２２    本発明のＵＳＢホストと主ＣＰＵ基板の接続
２３    ＵＳＢホスト、ＵＳＢハブ、ＵＳＢデバイスのノード記号
２４    本発明のＵＳＢによるＰＡＮ実装例
３１    本発明遊技機ＰＡＮのアプリケーション階層例
３２    本発明遊技機ＰＡＮのプロトコル層
３３    本発明遊技機ＰＡＮのリンク層
３４    本発明遊技機ＰＡＮの物理層
３５    ＵＳＢ３．０の階層
３６    本発明ＰＡＮの機能
３７    本発明ＰＡＮのアプリケーションプログラムの範囲
３８    ＵＳＢを用いたＰＡＮノード、リンク例
４１    ＵＳＢを用いたメッシュ接続ＰＡＮ例
４２    ＰＡＮ構築のスタート
４３    ＰＡＮのダイナミックアドレス設定
４４    ＰＡＮ運用時
５１    本発明遊技機ＰＡＮのＰ２Ｐ通信路セキュリティ実施構成例
５２    ８ビットパラレル出力信号
５３    ８ビットパラレル信号をＵＳＢデータに変換する
５４    ＵＳＢケーブル／パターン
５５    ＵＳＢホスト
５６    セキュリティＵＳＢケーブル
５７    ＵＳＢハブ
５８    ＵＳＢデバイス
５９    ＵＳＢケーブル
５１０  ＵＳＢデータを８ビットパラレル信号に戻す
５１０  スロットマシンサブＣＰＵ基板
【図１】
2014100443.tif 000003
【図２】
2014100443.tif 000004
【図３】
2014100443.tif 000005
【図４】
2014100443.tif 000006
【図５】
2014100443.tif 000007
【図６】
2014100443.tif 000008
【図７】
2014100443.tif 000009